(57)【要約】      （修正有）【課題】鉄筋の位置を固定し、簡単に位置ズレを発生させない固定装置を提供する。【解決手段】鉄筋の支持用として用いられ、空中円筒体である第一ブロック１０が備わり、該第一ブロック１０の両端は、支持端１１に設けられており、一支持端１１の端縁はブロック１０周壁の厚さの半分のみで、軸向に沿って外へ延びた、梯子状に設けられた環状凸縁１１１があり、該凸縁１１１の上に、深さの異なる第一収容溝１２、第二収容溝１３と第三収容溝１４が設けられ、他方の一支持端１１には、同じくブロック１０周壁の厚さの半分で、軸向に沿って内向きに、梯子状に設けられた環状凹縁があり、該支持端１１の上に第四収容溝１５が設けらる。同一支持端１１にある該第一収容溝１２、第二収容溝１３と第三収容溝１４はそれぞれ、鉄筋を入れるために設けられる。【選択図】図２
0003181455.tif 000002
【実用新案登録請求の範囲】
【請求項１】
空中円筒体で、その両端が支持端に設けられている第一ブロックが備わり、一支持端の端縁には、ブロック周壁の厚さの半分のみで、軸向に沿って外へ延びた、梯子状に設けられた環状凸縁があり、該凸縁の上に、第一収容溝、第二収容溝と第三収容溝が適当に設けられており、他方の一支持端には、同じくブロック周壁の厚さの半分で、軸向に沿って内向きに、梯子状に設けられた環状凹縁があり、該支持端の上に第四収容溝が設けられており、及び、
同じく空中円筒体で、第一ブロックと嵌め合うように設けられる第二ブロックが備わり、その両端は支持端があり、一支持端はブロック周壁の厚さの半分で、軸向に沿って内向きに、梯子状に設けられた環状凹縁があり、該凹縁の上には、該第一収容溝、第二収容溝と第三収容溝に対応するための第一組合溝、第二組合溝と第三組合溝が設けられており、他方の支持端には、同じくブロック周壁の厚さの半分で、軸向に沿って外へ延びた、梯子状に設けられた環状凸縁があり、該支持端の上に、第四組合溝が設けられていることを特徴とする固定装置。
【請求項２】
第一ブロックの支持端にある第一、第二、第三と第四収容溝は、深さが同じまたは異なってもよいことを特徴とする請求項１に記載の固定装置。
【請求項３】
第一ブロックの支持端にある第一収容溝、第二収容溝と第三収容溝の深さのギャップは少なくとも、一鉄筋の直径の大きさであることを特徴とする請求項１に記載の固定装置。
【請求項４】
第一ブロックの周面の適当な位置に、一通穴が設けられていることを特徴とする請求項１に記載の固定装置。
【請求項５】
第二ブロックの周面の適当な位置に、一通穴が設けられていることを特徴とする請求項１に記載の固定装置。
【請求項６】
第一ブロックと第二ブロックのサイズは、20ｍｍ、40ｍｍと50ｍｍに設けられてもよいことを特徴とする請求項１に記載の固定装置。
【請求項７】
第一ブロックと第二ブロックは識別のために、サイズに合わせて、周面にそれぞれ黄、青、緑の色で施されていることを特徴とする請求項６に記載の固定装置。
【考案の詳細な説明】
【技術分野】
【０００１】
本考案は、鉄筋用の支持装置に関わり、特に、安定、支持、間隔開けなどの働きを果し、実際な状況に応じて自由に組み合わせることができる固定装置に関する。
【背景技術】
【０００２】
建築工程には、鉄筋が欠かせない主要材料の一つとして、地面やスラブに張り巡らされ、敷設されるように使用され、一本の鉄筋は、一個以上のブロックに挟まれることにより、適当な距離を開けるようにプリセットし、セメントを流したあと、鉄筋をプリセットした高さに持たせて、鉄筋をセメントで完全に包むようにすることになっている。
【０００３】
図１に示すように、上述した従来の技術で使用されるブロックは通常、よく見られる石ブロックやレンガブロックであり、実施の時、簡単に地面やスラブの上に置き、鉄筋をその上に掛けることにより、鉄筋を地面やスラブから一定の適当な高さに持たせるようにし、または
鉄筋と鉄筋との間に置いて、接触させるように、一定の距離を開けるようにしているが、しかし、セメントを流しているとき、該石ブロックやレンガブロックは、セメント流しに振動され、元の位置からずれた場合、または、落下したりして、鉄筋が支持されず、該鉄筋の間が崩れ、地面やスラブに落下したりする場合が発生するが、そこで、セメントが鉄筋を完全に包めず、鉄筋が外部に露出され、予定していた支持強度が実現されず、そのような鉄筋の露出が長時間に放置すると、該鉄筋が錆付き、鉄筋を支持する強度が弱まってしまう恐れもあると思われる。
【考案の開示】
【考案が解決しようとする課題】
【０００４】
前述した従来の技術で生じられる欠点を鑑みて、本考案は、相互に簡単で組合せが可能な機能ブロックを使用して、鉄筋を位置決めるように挟み、鉄筋間の間隔を確実に開けると同時に、鉄筋の構造を固定し、セメントを流したとき、受ける圧力が緩和され、鉄筋の歪みやズレがなく、それをしっかり固定するように維持するために、安定して鉄筋の位置を決め、固定するための固定装置を提供することを目的とする。
【課題を解決するための手段】
【０００５】
上述した目的を達成させるための技術手段として、
空中円筒体で、その両端が支持端に設けられている第一ブロックが備わり、一支持端の端縁には、ブロック周壁の厚さの半分で、軸向に沿って外へ延びた、梯子状に設けられた環状凸縁があり、該凸縁の上に、第一収容溝、第二収容溝と第三収容溝が適当に設けられており、他方の一支持端には、同じくブロック周壁の厚さの半分で、軸向に沿って内向きに、梯子状に設けられた環状凹縁があり、該支持端の上に第四収容溝が設けられており、
同じく空中円筒体で、第一ブロックと嵌め合うように設けられる第二ブロックが備わり、その両端は支持端があり、その一支持端はブロック周壁の厚さの半分で、軸向に沿って内向きに、梯子状に設けられた環状凹縁があり、該凹縁の上には、該第一収容溝、第二収容溝と第三収容溝に対応するための第一組合溝、第二組合溝と第三組合溝が設けられており、他方の支持端には、同じくブロック周壁の厚さの半分で、軸向に沿って外へ延びた、梯子状に設けられた環状凸縁があり、該支持端の上に、第四組合溝が設けられていることを特徴とする固定装置。
【０００６】
第一ブロックの支持端にある第一、第二、第三と第四収容溝は、深さが同じまたは異なってもよいことを特徴とする。
【０００７】
第一ブロックの支持端にある第一収容溝、第二収容溝と第三収容溝の深さのギャップは少なくとも、一鉄筋の直径の大きさであることを特徴とする。
【０００８】
第二ブロックの周面の適当な位置には、用途に応じて、鉄筋を通らせ、支持するための一通穴が設けられていることを特徴とする。
【０００９】
第一ブロックの周面の適当な位置に、一通穴が設けられていることを特徴とする。
【００１０】
第二ブロックの周面の適当な位置に、一通穴が設けられていることを特徴とする。
【００１１】
本考案の固定装置に関する他の目的や特徴、長所を審査員たちにより理解させるために、次のように、その構造特徴について詳しく説明する。
【図面の簡単な説明】
【００１２】
【図１】従来の鉄筋構造及び固定構造を使用して実施されているイメージ。
【図２】本考案の固定装置の実施例の外観分解図。
【図３】本考案の固定装置の実施例の外観組合図。
【図４】本考案の固定装置のもう一つの実施例の外観組合図。
【図５】本考案の固定装置の第一ブロックの異なった構造形態図。
【図６】本考案の固定装置の第二ブロックの異なった構造形態図。
【図７】本考案の固定装置の多様な使用状態イメージ。
【図８】本考案の固定装置が実際に実施されているイメージ (1) 。
【図９】本考案之固定装置が実際に実施されているイメージ (2)。
【図１０】本考案の固定装置が実際に実施されているイメージ (3)。
【考案を実施するための形態】
【００１３】
図２、図３に示すのは、本考案の固定装置の実施例の外観図であり、そこに掲示した固定装置 (1) は、鉄筋の支持用であり、本実施例では、低コストのプラスチックで作られたもの(もちろん、他の材質、例えば、石材などを使用しても可能)であり、その具体的な構造として、
空中円筒体である第一ブロック (10)が備わり、該第一ブロック (10) の両端は、支持端 (11)に設けられており、一支持端 (11) の端縁はブロック (10) 周壁の厚さの半分のみで、軸向に沿って外へ延びた、梯子状に設けられた環状凸縁 (111) があり、該凸縁 (111) の上に、深さの異なる第一収容溝 (12)、第二収容溝 (13) と第三収容溝 (14)が適当に設けられており、他方の一支持端 (11) には、同じくブロック (10) 周壁の厚さの半分で、軸向に沿って内向きに、梯子状に設けられた環状凹縁 (未図示)があり、該支持端 (11) の上に第四収容溝 (15)が設けられており、本実施例では、同一支持端 (11) にある該第一収容溝 (11)、第二収容溝 (12) と第三収容溝 (13) はそれぞれ、鉄筋を入れるために設けられるため、それぞれの深さのギャップは少なくとも、一鉄筋の直径の大きさに設けられており、それにより、同時に重ねた場合、相互に干渉したりすることを避けられると同時に、位置を固定するように設けられているが、それに、該第一ブロック (10) の周面の適当な位置には、用途に応じて、鉄筋を通らせ、支持するための一通穴(16)が設けられており、
同じく空中円筒体で、第一ブロック (10)
と嵌め合うように設けられる一第二ブロック (20)が備わり、該第二ブロック (20) の両端は支持端 (21)があり、一支持端 (21) は、ブロック (10) 周壁の厚さの半分で、軸向に沿って内向きに、梯子状に設けられた環状凹縁 (211)があり、該凹縁 (211) の上には、該第一収容溝 (12)、第二収容溝 (13) と第三収容溝 (14) に対応するための第一組合溝 (22)、第二組合溝 (23) と第三組合溝 (24)が設けられており、他方の支持端 (21) には、同じくブロック (10) 周壁の厚さの半分で、軸向に沿って外へ延びた、梯子状に設けられた環状凸縁(212) があり、該支持端 (21) の上に第四組合溝 (25)、該第二ブロック (20) の周面の適当な位置に一通穴 (26)が設けられている。
【００１４】
上述した支持端 (11, 21) にある第一収容溝 (11)、第二収容溝 (12)、第三収容溝 (13) はそれぞれ、鉄筋を入れるために、相互に隣り合う溝の深さのギャップは少なくとも、一鉄筋の直径の大きさに設けられており、それにより、複数の鉄筋を重ねて、異なる高さに設けられた場合でも、安定して位置を固定するように設けられている。
【００１５】
上述した組合せで、図３、図４に示すように、第一ブロック (1) を第二ブロック (2) を相互に嵌め合わせ、一体化し、それが、第一ブロック (1) の一支持端 (11) の端縁にある凸縁 (111) が第二ブロック (2) の支持端 (21) の端縁にある凹縁 (21) にぴったり合わせて設けられているために実現されるが、とても簡単に便利になること、それに、該第一ブロック (1) と第二ブロック (2) との組合せ位置は相互に交換してもよく、または、実際の使用ニーズに応じて、第一ブロック (1) か第二ブロック (2) の数量を増加して、重ねてもよい。 
【００１６】
上述した第一ブロック (1)、第二ブロック (2) は、プラスチックで作られた空中円筒体の形態であり、第一~第四収容溝 (12, 13, 14, 15) はいずれも、軸向に沿って周壁に設けられているため、鉄筋を十分に支持する構造強度を有し、位置ズレを抑えることができるが、それに、該第一ブロック (1) と第二ブロック (2) は中空円筒体に設けられているため、セメント流しも便利な構造である。
【００１７】
図５、図６に示すのは、ぞれぞれ、固定装置の第一、第二ブロックの異なる構造形態イメージであり、上述した固定装置構造は、鉄筋を保護し、そのギャップを維持するために設けられており、異なる建築構造、例えば、スラブ、壁、囲いや壁板、梁、柱や基礎、シェルスラブや折板などには、建築上の鉄筋と鉄筋との間に必要とされる標準高さが異なり、通常は、三サイズ、即ち20ｍｍ、40ｍｍと50ｍｍが必要であり、そして、使用者に簡単に識別させるために、本案では特に、高さ・サイズにより、色付けを施しており、例えば、黄、青、緑の三色 (もちろん、色やサイズは自由に組合せ可能)、そうすると、使用者がニーズに合わせて、必要な固定装置構造を選び、使用して、鉄筋をうまく挟み、固定し、支持と間隔開けの働きを果せるのである。
【００１８】
図７はそれぞれ、固定装置の異なる使用状態イメージが示されており、その中、鉄筋と鉄筋との間を支持、間隔開けに用いられる場合、それに対応する第一、第二、第三または第四収容溝 (12, 13, 14, 15)、または第一、第二、第三または第四組合溝 (22,
23, 24, 25)、または、第一、第二、第三収容溝 (12, 13, 14) と第一、第二、第三組合溝 (22, 23, 24) から一つ選んで、自由に使用することが可能で、それにより、相互に干渉せず、鉄筋の位置を有効に固定し、位置ズレを防ぐことができる。
【００１９】
更に、図８〜図１０に示すのは、固定装置が実際に実施されているイメージだが、現場で施工を行うとき、比較的に簡単で、複数の鉄筋の間隔を開けるために用いられる場合、図８に示すような固定装置の形態を使用してもよいが、現場での実際的なニーズに応じて、該固定装置 (1) から適当な寸法、色の第一ブロック (10) または第二ブロック (20) を選択、使用して、鉄筋を支持、間隔を開ける効果が達成され、鉄筋の位置ズレや歪みなどを防ぐことができること、多段で、複数に並び、または縦横に交差して並んでいる鉄筋構造に用いられる場合、図九に示すような固定装置の組合形態を使用してもよいが、そこで、第一ブロック (10) と第二ブロック (20) の組合せにより、多段並列でかつ、縦横に交差する複数の鉄筋が確実に挟まれ、固定され、必要とされる支持、間隔開けが行われることになること、その上、複数の鉄筋の簡単な並列配置に用いられる場合 (例えば、パラペット壁のような鉄筋構造形態)、図１０に示すように、該固定装置 (1) の第一ブロック (10)、第二ブロック (20) またはその組合せ形態を使用して、鉄筋が通穴 (16, 26)を通ることになるが、そうすると、セメント流しで生じられる衝撃で、鉄筋が歪んだり、位置ズレたりすることを有効に防ぐことができる。
【００２０】
上述した内容から分かるように、該固定装置
(1) は、第一ブロック (10) と第二ブロック (20) にある第一~第四収容溝 (12, 13, 14, 15) を単独に使用、または、第一~第四組合溝 (22, 23, 24, 25) を組み合わせて、それぞれ、鉄筋にその中を通らせ、またはその中に嵌め込ませるようにするが、そして、溝の深さは、実際のニーズに応じて設けられるため、複数の配列または交差した鉄筋をそれぞれ、安定して、固定装置 (1)に置くようになっているが、特に、第一ブロック (10) と第二ブロック (20) の組合せによる包み、閉じ込みにより、すべての鉄筋の位置をより確実に安定して固定するようになり、セメント流しで生じられる衝撃や圧力を減少させ、鉄筋を更に安定して支持する構造になっている。そのほか、該固定装置 (1) は、中空体であるため、セメント流しとの一体化にもよくなること、なお、第一ブロック (10)、第二ブロック (20) の両端の支持面 (11, 21) にある溝の深さは、同じまたは異なってもよいので、複数の鉄筋間を同時に開けられると同時に、鉄筋を安定して支持する目的も達成される。
【００２１】
上述した内容をまとめると、本考案の固定装置は、実際に実施されたところ、上述したような種々の実質的な効果を確実に持っており、従来の物に存在している多くの欠点が改善され、よりよい通気性があるということで、実に、既有の技術範疇を超えた、オリジナルで、実用的価値を有する製品であり、実用新案登録法に定められた出願要件に一致していることで、法の規定により書類を提出、出願することになった所以である。
【００２２】
ただし、上述した内容は、本考案の好適な実施可能な実施例に関する説明のみであり、本考案の明細書や図面の内容に基づき、それらの構造を改造や変更などして、それと同様な効果を得たとしても、すべて、本考案の後述の実用新案登録請求範囲に含まれるものとすることをここで説明しておく。
【符号の説明】
【００２３】
１      固定装置 
１０    第一ブロック 
１１    支持端 
１１１  凸縁 
１２    第一収容溝 
１３    第二収容溝
１４    第三収容溝
１５    第四収容溝
１６    通穴
２０    第二ブロック 
２１    支持端 
２１１  凹縁 
１２    第一収容溝
１３    第二収容溝 
１４    第三収容溝 
２１２  凸縁 
２５    第四組合溝
２６    通穴 
【図１】
0003181455.tif 000003
【図２】
0003181455.tif 000004
【図３】
0003181455.tif 000005
【図４】
0003181455.tif 000006
【図５】
0003181455.tif 000007
【図６】
0003181455.tif 000008
【図７】
0003181455.tif 000009
【図８】
0003181455.tif 000010
【図９】
0003181455.tif 000011
【図１０】
0003181455.tif 000012